(57)【要約】【課題】特定データの認識精度を向上できるようにする。【解決手段】表示装置１０は、マルチディスプレイ装置３０及び制御部４０を備える。制御部４０は、特定データ判定部４１、重なり判定部４２及び変更部４３を含む。特定データ判定部４１は、画像データ中に特定データが含まれているか否かを判定する。重なり判定部４２は、特定データの表示位置が複数のディスプレイ装置３１〜３９の互いの隣接領域６１に重なるか否かを判定する。変更部４３は、特定データの表示位置が隣接領域６１に重ならないように特定データの表示位置を変更する。制御部４０は、画像データを分割して複数のディスプレイ装置３１〜３９へそれぞれ分配する。【選択図】図１
2012088411.tif 000002
【特許請求の範囲】
【請求項１】
画像データを入力する入力部と、
互いに隣接配置された複数のディスプレイ装置からなるマルチディスプレイ装置と、
前記入力部から入力した画像データを分割して前記複数のディスプレイ装置へそれぞれ分配する制御部と、を備え、
前記制御部は、
前記画像データ中に外部読取機器によって認識可能な特定データが含まれているか否かを判定する特定データ判定部と、
前記画像データ中に前記特定データが含まれていると前記特定データ判定部が判定した場合に、前記特定データの表示位置が前記複数のディスプレイ装置の互いの隣接領域に重なるか否かを判定する重なり判定部と、
前記特定データの表示位置が前記隣接領域に重なると前記重なり判定部が判定した場合に、それらが重ならないように前記特定データの表示位置を変更する変更部と、を含む、
表示装置。
【請求項２】
前記変更部は、前記画像データ中の前記特定データのみの表示位置を変更する、請求項１に記載の表示装置。
【請求項３】
前記変更部は、前記画像データの表示位置を変更する、請求項１に記載の表示装置。
【請求項４】
前記変更部は、前記特定データの表示サイズを縮小する、請求項１に記載の表示装置。
【請求項５】
前記変更部は、前記画像データの表示サイズを縮小する、請求項１に記載の表示装置。
【請求項６】
前記変更部は、前記画像データの表示サイズを縮小し、さらに、前記画像データ中の前記特定データのみの表示位置を変更する、請求項１に記載の表示装置。
【請求項７】
前記変更部は、前記画像データの表示サイズを縮小し、かつ、前記画像データの表示位置を変更する、請求項１に記載の表示装置。
【請求項８】
前記特定データには、一次元コード、二次元コード、及びＵＲＬが含まれる、請求項１から７のいずれかに記載の表示装置。
【請求項９】
互いに隣接配置された複数のディスプレイ装置からなるマルチディスプレイ装置に表示されている画像データ中に外部読取機器によって認識可能な特定データが含まれているか否かを判定する特定データ判定ステップと、
前記特定データ判定ステップにおいて前記画像データ中に前記特定データが含まれていると判定された場合に、前記特定データの表示位置が前記複数のディスプレイ装置の互いの隣接領域に重なるか否かを判定する重なり判定ステップと、
前記重なり判定ステップにおいて前記特定データの表示位置が前記隣接領域に重なると判定された場合に、それらが重ならないように前記特定データの表示位置を変更する変更ステップと、
前記画像データを分割して前記複数のディスプレイ装置へそれぞれ分配する分配ステップと、を順に実行する表示制御プログラム。
【発明の詳細な説明】
【技術分野】
【０００１】
この発明は、互いに隣接配置された複数のディスプレイ装置からなるマルチディスプレイ装置を備える表示装置及び表示制御プログラムに関する。
【背景技術】
【０００２】
近年、互いに隣接配置された複数のディスプレイ装置からなるマルチディスプレイ装置を備えた表示装置が使用されている。このような表示装置では、入力した画像データは分割されて複数のディスプレイ装置へそれぞれ分配され、複数のディスプレイ装置のそれぞれに表示された分割データの集合によってマルチディスプレイ装置としての１つの表示画面が構成される。このため、マルチディスプレイ装置に表示された画像データには、複数のディスプレイ装置の互いの隣接領域によって分断された部分が生じる。したがって、額の幅が狭いディスプレイ装置を用いるほど、互いに隣接するディスプレイ装置間の画像の連続性の低下が抑制され、見やすい画像が提供される。
【０００３】
上述のような表示装置は、人通りの多い場所に配置されて広告を表示するといった使われ方をすることがある。このため、表示装置には、カメラ付き携帯電話等の外部読取機器が認識可能な、ＱＲコード（登録商標）やバーコード等の特定データが表示されることがある（例えば、特許文献１参照。）。
【先行技術文献】
【特許文献】
【０００４】
【特許文献１】特開２００７−４９５８４公報
【発明の概要】
【発明が解決しようとする課題】
【０００５】
しかし、額の幅が狭いディスプレイ装置を用いた場合でもマルチディスプレイ装置に表示された画像の連続性が完全に担保されることは無いので、特定データが上記隣接領域に重なって複数のディスプレイ装置に跨って表示された場合、１個の特定データが複数に分断されて表示され、さらに特定データの表示内に本来は無いはずの線が表示されたような状態となり、外部読取機器が特定データを正確に認識することが極めて困難になる。
【０００６】
この発明の目的は、特定データの認識精度を向上できる表示装置及び表示制御プログラムを提供することにある。
【課題を解決するための手段】
【０００７】
この発明の表示装置は、入力部、マルチディスプレイ装置、及び制御部を備える。入力部から画像データが入力する。マルチディスプレイ装置は、互いに隣接配置された複数のディスプレイ装置からなる。制御部は、入力部から入力した画像データを分割して複数のディスプレイ装置へそれぞれ分配する。制御部は、特定データ判定部、重なり判定部、及び変更部を含む。特定データ判定部は、画像データ中に外部読取機器によって認識可能な特定データが含まれているか否かを判定する。重なり判定部は、画像データ中に特定データが含まれていると特定データ判定部が判定した場合に、特定データの表示位置が複数のディスプレイ装置の互いの隣接領域に重なるか否かを判定する。変更部は、特定データの表示位置が隣接領域に重なると重なり判定部が判定した場合に、それらが重ならないように特定データの表示位置を変更する。
【０００８】
この構成では、特定データの表示位置が複数のディスプレイ装置の互いの隣接領域に重なり、特定データが複数のディスプレイ装置に跨って表示されると判定された場合は、特定データの表示位置と複数のディスプレイ装置の互いの隣接領域とが重ならないように特定データの表示位置が変更され、特定データが複数のディスプレイ装置に跨って表示されることが防止される。このため、１個の特定データが複数に分断されて表示されることや、特定データの表示内に本来は無いはずの線が表示されたような状態になることが防止される。
【０００９】
上述の構成において、変更部は、画像データ中の特定データのみの表示位置を変更するように構成することもできる。特定データの表示位置と複数のディスプレイ装置の互いの隣接領域とが重ならないように画像データ中の特定データのみの表示位置が変更されるので、画像データの表示画像の変更を最小限に抑えながら、特定データが複数のディスプレイ装置に跨って表示されることが防止される。
【００１０】
また、変更部は、画像データの表示位置を変更するように構成することもできる。特定データの表示位置と複数のディスプレイ装置の互いの隣接領域とが重ならないように画像データの表示位置が変更されるので、画像データの表示画像を変更することなく、表示位置を変更するだけで、特定データが複数のディスプレイ装置に跨って表示されることが防止される。
【００１１】
さらに、変更部は、特定データの表示サイズを縮小するように構成することもできる。特定データの表示位置と複数のディスプレイ装置の互いの隣接領域とが重ならないように特定データの表示サイズが縮小されるので、画像データの表示画像の変更を最小限に抑えながら、特定データが複数のディスプレイ装置に跨って表示されることが防止される。
【００１２】
また、変更部は、画像データの表示サイズを縮小するように構成することもできる。
【００１３】
特定データの表示位置と複数のディスプレイ装置の互いの隣接領域とが重ならないように画像データの表示サイズが縮小されるので、画像データの表示サイズ以外の構成を変更することなく、かつ、画像データの表示画像の全てを表示しつつ、特定データが複数のディスプレイ装置に跨って表示されることが防止される。
【００１４】
さらに、変更部は、画像データの表示サイズを縮小し、さらに、画像データ中の特定データのみの表示位置を変更するように構成することもできる。画像データが入力した際の表示サイズのままでは特定データを１個のディスプレイ装置内に表示することが困難な場合でも、画像データの表示サイズを縮小した上で、さらに特定データの表示位置と複数のディスプレイ装置の互いの隣接領域とが重ならないように特定データのみの表示位置が変更されるので、入力した画像データにおいて特定データの表示サイズが大きい場合でも、画像データの表示サイズ以外の構成の変更を最小限に抑え、かつ、画像データの表示画像の全てを表示しつつ、特定データが複数のディスプレイ装置に跨って表示されることが防止される。
【００１５】
また、変更部は、画像データの表示サイズを縮小し、かつ、画像データの表示位置を変更するように構成することもできる。画像データが入力した際の表示サイズのままでは特定データを１個のディスプレイ装置内に表示することが困難な場合でも、画像データの表示サイズを縮小した上で、さらに特定データの表示位置と複数のディスプレイ装置の互いの隣接領域とが重ならないように画像データの表示位置が変更されるので、入力した画像データにおいて特定データの表示サイズが大きい場合でも、画像データの表示サイズ以外の構成を変更することなく、かつ、画像データの表示画像の全てを表示しつつ、特定データが複数のディスプレイ装置に跨って表示されることが防止される。
【００１６】
さらに、特定データには、一次元コード、二次元コード、及びＵＲＬが含まれ、特定データが一次元コード、二次元コード、又はＵＲＬである場合に、特に本発明の効果がより顕著に奏される。一次元コード、二次元コード、及びＵＲＬは、複数のディスプレイ装置の互いの隣接領域と重なって複数のディスプレイ装置に跨って表示されると、外部読取機器による認識が極めて困難になるが、特定データの表示位置と複数のディスプレイ装置の互いの隣接領域とが重ならないように特定データの表示位置が変更されることで、特定データの認識精度が飛躍的に向上する。
【００１７】
この発明の表示制御プログラムは、互いに隣接配置された複数のディスプレイ装置からなるマルチディスプレイ装置に表示されている画像データ中に外部読取機器によって認識可能な特定データが含まれているか否かを判定する特定データ判定ステップと、特定データ判定ステップにおいて画像データ中に特定データが含まれていると判定された場合に、特定データの表示位置が複数のディスプレイ装置の互いの隣接領域に重なるか否かを判定する重なり判定ステップと、重なり判定ステップにおいて特定データの表示位置が隣接領域に重なると判定された場合に、それらが重ならないように特定データの表示位置を変更する変更ステップと、画像データを分割して複数のディスプレイ装置へそれぞれ分配する分配ステップと、を順に実行する。これによって、１個の特定データが複数に分断されて表示されることや、特定データの表示内に本来は無いはずの線が表示されたような状態になることが防止される。
【発明の効果】
【００１８】
この発明によれば、特定データの認識精度を向上させることができる。
【図面の簡単な説明】
【００１９】
【図１】この発明の実施形態に係る表示装置の概略の構成を示すブロック図である。
【図２】制御部の処理手順を示すフローチャートである。
【図３】マルチディスプレイ装置の表示の変更処理による変化の一例を示す図である。
【図４】マルチディスプレイ装置の表示の変更処理による変化の他の例を示す図である。
【図５】マルチディスプレイ装置の表示の変更処理による変化のさらに他の例を示す図である。
【図６】マルチディスプレイ装置の表示の変更処理による変化のさらに他の例を示す図である。
【発明を実施するための形態】
【００２０】
以下に、この発明を実施するための形態について、図面に基づいて説明する。
【００２１】
図１に示すように、表示装置１０は、入力部２０、マルチディスプレイ装置３０、及び制御部４０を備えている。
【００２２】
入力部２０から画像データが制御部４０へ入力する。入力部２０は、例えばネットワークインタフェースであり、表示装置１０はネットワーク接続によってサーバに接続されている。なお、入力部２０は、ＵＳＢ（Universal Serial Bus）インタフェースやインターネットモデムによって構成され、ＵＳＢ接続やインターネット接続によって制御部４０へ画像データが入力するように構成されていてもよい。
【００２３】
マルチディスプレイ装置３０は、互いに隣接配置された複数のディスプレイ装置３１〜３９から構成されている。複数のディスプレイ装置３１〜３９は、マトリクス配置されている。ディスプレイ装置３２〜３９は、ディスプレイ装置３１と実質的に同様に構成されている。ディスプレイ装置３１は、コントローラ３１１及びディスプレイパネル３１２を有し、コントローラ３１１によってディスプレイパネル３１２の表示制御が行われる。
【００２４】
複数のディスプレイ装置３１〜３９のそれぞれの表示部の集合によって、マルチディスプレイ装置３０における１つの表示画面が形成される。ディスプレイ装置３１〜３９として、ディスプレイ装置３１〜３９のそれぞれの枠３１２Ａ（図３参照）と外縁部３１２Ｂとの間の額３１２Ｃの幅が狭いディスプレイ装置を用いるほど、互いに隣接するディスプレイ装置間の画像の連続性の低下が抑制されて見やすい画像が提供されるので好ましい。枠３１２Ａは、ディスプレイ装置３１〜３９のそれぞれの表示部の外縁部である。
【００２５】
制御部４０は、入力部２０から入力した画像データを分割して分割画像データを作成し、分割画像データを複数のディスプレイ装置３１〜３９のそれぞれへ分配する。複数のディスプレイ装置３１〜３９のそれぞれには、分割画像データに基づく分割画像が表示される。複数のディスプレイ装置３１〜３９のそれぞれに表示された分割画像の集合によって、画像データに基づく全体画像が形成される。
【００２６】
互いに隣接するディスプレイ装置３１〜３９の一方のディスプレイ装置の枠３１２Ａと他方のディスプレイ装置の枠３１２Ａとの間の領域が、複数のディスプレイ装置３１〜３９の互いの隣接領域６１（図３参照）である。分割画像は、複数のディスプレイ装置３１〜３９の互いの隣接領域の枠３１２Ａ位置に相当する分割ラインで全体画像が分割されたものである。
【００２７】
制御部４０は、特定データ判定部４１、重なり判定部４２、及び変更部４３を含む。制御部４０には、以下に示すような表示制御プログラムが格納されている。
【００２８】
図２に示すように、入力部２０から画像データが入力すると（Ｓ１）、特定データ判定部４１は、外部読取機器が認識可能な特定データを、画像データが含むか否かを判定する（Ｓ２）。特定データの種類には、バーコード等の一次元コード、ＱＲコード等の二次元コード、又はＵＲＬ（Uniform Resource Locator）が含まれる。一次元コード、二次元コード、ＵＲＬは、それぞれ、一例として、情報の存在場所を示す住所のようなコードを示すものとして用いられる。外部読取機器は、特定データの表示画像である特定画像を読み取り、特定画像が示すコードを認識可能な携帯端末機器であり、一例としてコード認識機能や文字認識機能を有するカメラ付き携帯電話機が挙げられる。
【００２９】
画像データが特定データを含むと特定データ判定部４１が判定した場合、重なり判定部４２は、特定画像の位置情報を取得し（Ｓ３）、全体画像において特定画像と分割ラインとが重なるか否かを判定する（Ｓ４）。なお、分割ラインの位置情報は、予め制御部４０に格納されている。
【００３０】
特定画像と分割ラインとが重なると重なり判定部４２が判定した場合、変更部４３は、特定画像と分割ラインとが重ならないように特定画像の位置を変更する変更処理を画像データに対して実行する（Ｓ５）。
【００３１】
図３に示すように、変更処理の一例として、変更部４３は、特定画像５２と分割ラインとが重ならないように、全体画像５１中の特定画像５２のみの位置を変更する。
【００３２】
入力した画像データに基づいて、特定画像５２と分割ラインとが重なって特定画像５２が複数のディスプレイ装置３１〜３９に跨って表示されると判定された場合は、特定画像５２と分割ラインとが重ならないように特定画像５２の位置が変更されるので、全体画像５１に対する変更を最小限に抑えながら、特定画像５２が複数のディスプレイ装置３１〜３９に跨って表示されることが防止される。したがって、外部読取機器による特定画像５２の認識精度が向上する。
【００３３】
変更処理によって、特定画像５２は、人が外部読取機器によって特定画像５２を読み取りやすい高さの特定箇所へ位置変更されることが好ましい。
【００３４】
制御部４０は、特定画像５２が位置変更前に占めていた領域のうち位置変更後の特定画像５２が占める領域と重複しない空領域５３を、その周囲の色に基づいて周囲の色になるべく近い色で着色する。例えば、空領域５３の周囲の所定領域の色情報の平均値によって空領域５３の色情報が設定される。これによって、空領域５３が目立たなくなる。
【００３５】
制御部４０は、特定画像５２と分割ラインとが重ならないように変更処理を施した後の変更後画像データを、全体画像５１が分割ラインで分割されるように複数の分割画像データに分割し（Ｓ６）、分割画像データを複数のディスプレイ装置３１〜３９のそれぞれへ出力する（Ｓ７）。
【００３６】
Ｓ２において、画像データが特定データを含まないと判定された場合は、制御部４０は、変更処理を実行することなくＳ６の処理へ進み、全体画像５１が分割ラインで分割されるように画像データを複数の分割画像データに分割し、分割画像データを複数のディスプレイ装置３１〜３９のそれぞれへ出力する。同様に、Ｓ４において、特定画像５２と分割ラインとが重ならないと判定された場合も、制御部４０は、変更処理を実行することなくＳ６の処理へ進む。
【００３７】
図４に示すように、変更処理の他の例として、変更部４３は、特定画像５２と分割ラインとが重ならないように、マルチディスプレイ装置３０における全体画像５１の位置を変更するように構成することもできる。特定画像５２と分割ラインとが重ならないように全体画像５１の位置が変更されるので、全体画像５１の画像内容を変更することなく、位置を変更するだけで、特定画像５２が複数のディスプレイ装置３１〜３９に跨って表示されることが防止される。したがって、外部読取機器による特定画像５２の認識精度が向上する。
【００３８】
制御部４０は、全体画像５１の位置変更後の空領域５４を、空領域５４に隣接する所定領域の色になるべく近い色で着色する。例えば、上記所定領域の色情報の平均値によって空領域５４の色情報が設定される。これによって、空領域５４が目立たなくなる。
【００３９】
図５に示すように、変更処理のさらに他の例として、変更部４３は、特定画像５２と分割ラインとが重ならないように、特定画像５２の表示サイズを縮小するように構成することもできる。特定画像５２と分割ラインとが重ならないように特定画像５２の表示サイズが縮小されるので、全体画像５１に対する変更を最小限に抑えながら、特定画像５２が複数のディスプレイ装置３１〜３９に跨って表示されることが防止される。したがって、外部読取機器による特定画像５２の認識精度が向上する。
【００４０】
図６に示すように、変更処理のさらに他の例として、変更部４３は、特定画像５２と分割ラインとが重ならないように、全体画像５１の表示サイズを縮小するように構成することもできる。特定画像５２と分割ラインとが重ならないように全体画像５１の表示サイズが縮小されるので、全体画像５１の表示サイズ以外の構成を変更することなく、かつ、全体画像５１の全てを表示しつつ、特定画像５２が複数のディスプレイ装置３１〜３９に跨って表示されることが防止される。したがって、外部読取機器による特定画像５２の認識精度が向上する。
【００４１】
また、変更処理のさらに他の例として、変更部４３は、全体画像５１の表示サイズを縮小し、さらに、マルチディスプレイ装置３０における特定画像５２のみの位置を変更するように構成することもできる。画像データが入力した際の表示サイズのままでは特定画像５２を１個のディスプレイ装置３１〜３９内に表示することが困難な場合でも、全体画像５１の表示サイズを縮小した上で、さらに特定画像５２と分割ラインとが重ならないように特定画像５２のみの位置が変更されるので、入力した画像データにおいて特定画像５２の表示サイズが大きい場合でも、全体画像５１の表示サイズ以外の構成の変更を最小限に抑え、かつ、全体画像５１の全てを表示しつつ、特定画像５２が複数のディスプレイ装置３１〜３９に跨って表示されることが防止される。
【００４２】
さらに、変更処理のさらに他の例として、変更部４３は、全体画像５１の表示サイズを縮小し、かつ、マルチディスプレイ装置３０における全体画像５１の位置を変更するように構成することもできる。画像データが入力した際の表示サイズのままでは特定画像５２を１個のディスプレイ装置３１〜３９内に表示することが困難な場合でも、全体画像５１の表示サイズを縮小した上で、さらに特定画像５２と分割ラインとが重ならないように全体画像５１の位置が変更されるので、入力した画像データにおいて特定画像５２の表示サイズが大きい場合でも、全体画像５１の表示サイズ以外の構成を変更することなく、かつ、全体画像５１の全てを表示しつつ、特定画像５２が複数のディスプレイ装置３１〜３９に跨って表示されることが防止される。
【００４３】
特定データが一次元コード、二次元コード、又はＵＲＬである場合に、特に本発明の効果がより顕著に奏される。一次元コード、二次元コード、及びＵＲＬは、特定画像５２と分割ラインとが重なって複数のディスプレイ装置３１〜３９に跨って表示されると、外部読取機器による認識が極めて困難になるが、特定画像５２と分割ラインとが重ならないように特定画像５２の位置が変更されることで、外部読取機器による特定画像５２の認識精度が飛躍的に向上する。
【００４４】
なお、画像データがハイパーテキストデータであれば、特定画像５２の抽出が容易になるので好ましい。
【００４５】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【符号の説明】
【００４６】
１０  表示装置
２０  入力部
３０  マルチディスプレイ装置
３１〜３９  ディスプレイ装置
４０  制御部
４１  特定データ判定部
４２  重なり判定部
４３  変更部
５１  全体画像
５２  特定画像
６１  隣接領域
【図１】
2012088411.tif 000003
【図２】
2012088411.tif 000004
【図３】
2012088411.tif 000005
【図４】
2012088411.tif 000006
【図５】
2012088411.tif 000007
【図６】
2012088411.tif 000008